(57)【要約】【課題】光ディスクの形態の相違等によって正負が反転したウォブル信号が入力された場合であっても、「０」に対応するウォブル波形と「１」に対応するウォブル波形の境界点を精度良く検出することができ、ひいては、同期パターンや物理アドレスの検出性能を向上させることができる情報記録再生装置を提供する。【解決手段】本発明に係る情報記録再生装置は、光ディスクから抽出されるウォブル信号を位相検波する位相検波部と、位相検波されたウォブル信号の位相変化点を検出する位相変化検出部と、位相変化点の時間軸方向の広がりを検出する分散判定部と、検出された位相変化点の広がりに基づいて、位相検波部に入力されたウォブル信号の極性を判定する極性判定部と、判定された極性に基づいて、位相検波部に入力されるウォブル信号の極性を反転させる極性反転部と、を備えたことを特徴とする。【選択図】  図２
2007207313.tif 000002
【特許請求の範囲】
【請求項１】
光ディスクから抽出されるウォブル信号を位相検波する位相検波部と、
位相検波された前記ウォブル信号の位相変化点を検出する位相変化検出部と、
前記位相変化点の時間軸方向の広がりを検出する分散判定部と、
検出された前記位相変化点の広がりに基づいて、前記位相検波部に入力されたウォブル信号の極性を判定する極性判定部と、
前記極性判定部にて判定された極性に基づいて、前記位相検波部に入力されるウォブル信号の極性を反転させる極性反転部と、
を備えたことを特徴とする情報記録再生装置。
【請求項２】
前記ウォブル信号は、ウォブルの単位長である第１の周期と、前記単位長のウォブルが所定数連続な位相で続く第２の周期を有して構成され、
前記分散判定部は、
前記第２の周期を前記所定数で分割した区分毎に検出された前記位相変化点の度数を求め、
前記極性判定部は、
前記区分毎の度数の分布が、特定の１つの区分に集中している場合は適正な極性のウォブル信号が入力されていると判定し、前記区分毎の度数の分布が、複数の区分に分散している場合は非適正な極性のウォブル信号が入力されていると判定し、
前記極性反転部は、
前記極性判定部にて、前記非適正な極性のウォブル信号が入力されていると判定されたときに、前記ウォブル信号の極性を反転させる、
ことを特徴とする請求項１に記載の情報記録再生装置。
【請求項３】
前記分散判定部は、
前記度数を求める開始時期と終了時期とを変更可能に構成されることを特徴とする請求項２に記載の情報記録再生装置。
【請求項４】
前記分散判定部は、
時間的な重み付けをして前記度数を求めることを特徴とする請求項２に記載の情報記録再生装置。
【請求項５】
前記分散判定部による広がりの検出処理、前記極性判定部による極性の判定処理、および
前記極性反転部による極性の反転処理は、本情報記録再生装置の動作開始後の所定の期間、或いは所定の周期毎に一定期間、実施することを特徴とする請求項１に記載の情報記録再生装置。
【請求項６】
光ディスクから抽出されるウォブル信号を位相検波する位相検波部と、
前記位相検波部に入力されるウォブル信号の極性を反転させる極性反転部と、
位相検波された前記ウォブル信号の位相変化点を検出する位相変化検出部と、
前記位相変化点の時間軸方向の広がりを検出する分散判定部と、
検出された前記位相変化点の広がりに基づいて、前記位相検波部に入力されたウォブル信号の極性を判定する極性判定部と、
を備え、
前記極性判定部は、
前記極性反転部に対して２つの極性を交替させて設定するように指示し、
前記極性反転部で極性を反転させたときと、極性を反転させないときの前記位相変化点の広がりから、前記広がりの少ない方の極性を適正な極性と判定し、
前記極性反転部に対して、適正な極性と判定された極性に固定するように前記極性判定部に指示する、
ことを特徴とする情報記録再生装置。
【請求項７】
光ディスクから抽出されるウォブル信号を位相検波する位相検波ステップと、
位相検波された前記ウォブル信号の位相変化点を検出する位相変化検出ステップと、
前記位相変化点の時間軸方向の広がりを検出する分散判定ステップと、
検出された前記位相変化点の広がりに基づいて、前記位相検波部に入力されたウォブル信号の極性を判定する極性判定ステップと、
前記極性判定ステップにて判定された極性に基づいて、前記位相検波部に入力されるウォブル信号の極性を反転させる極性反転ステップと、
を備えたことを特徴とする情報記録再生装置の制御方法。
【請求項８】
前記ウォブル信号は、ウォブルの単位長である第１の周期と、前記単位長のウォブルが所定数連続な位相で続く第２の周期を有して構成され、
前記分散判定ステップは、
前記第２の周期を前記所定数で分割した区分毎に検出された前記位相変化点の度数を求め、
前記極性判定ステップは、
前記区分毎の度数の分布が、特定の１つの区分に集中している場合は適正な極性のウォブル信号が入力されていると判定し、前記区分毎の度数の分布が、複数の区分に分散している場合は非適正な極性のウォブル信号が入力されていると判定し、
前記極性反転ステップは、
前記極性判定ステップにて、前記非適正な極性のウォブル信号が入力されていると判定されたときに、前記ウォブル信号の極性を反転させる、
ことを特徴とする請求項７に記載の情報記録再生装置の制御方法。
【請求項９】
前記分散判定ステップは、
前記度数を求める開始時期と終了時期とを変更可能に構成されることを特徴とする請求項８に記載の情報記録再生装置の制御方法。
【請求項１０】
前記分散判定ステップは、
時間的な重み付けをして前記度数を求めることを特徴とする請求項８に記載の情報記録再生装置の制御方法。
【請求項１１】
前記分散判定ステップによる広がりの検出処理、前記極性判定ステップによる極性の判定処理、および前記極性反転ステップによる極性の反転処理は、本情報記録再生装置の動作開始後の所定の期間、或いは所定の周期毎に一定期間、実施することを特徴とする請求項７に記載の情報記録再生装置の制御方法。
【請求項１２】
光ディスクから抽出されるウォブル信号を位相検波する位相検波ステップと、
前記位相検波される前のウォブル信号の極性を反転させる極性反転ステップと、
位相検波された前記ウォブル信号の位相変化点を検出する位相変化検出ステップと、
前記位相変化点の時間軸方向の広がりを検出する分散判定ステップと、
検出された前記位相変化点の広がりに基づいて、前記位相検波部に入力されたウォブル信号の極性を判定する極性判定ステップと、
を備え、
前記極性判定ステップは、
前記位相検波される前のウォブル信号の２つの極性を交替させて設定するように指示し、
極性を反転させたときと、極性を反転させないときの前記位相変化点の広がりから、前記広がりの少ない方の極性を適正な極性と判定し、
その後、前記位相検波される前のウォブル信号を、前記適正な極性と判定された極性に固定する、
ことを特徴とする情報記録再生装置の制御方法。
【発明の詳細な説明】
【技術分野】
【０００１】
本発明は、情報記録再生装置およびその制御方法に係り、特に、光ディスクのウォブル信号を検出する情報記録再生装置およびその制御方法に関する。
【背景技術】
【０００２】
追記型、或いは書き換え型の光ディスクには、ウォブルが設けられている。ウォブルとは、光ディスクのトラックに設けられている周方向の略正弦波形状をなす「うねり」のことである。
【０００３】
追記型、或いは書き換え型の光ディスクでは、光ディスクにデータを記録する時や光ディスクからデータを再生するときに、このウォブルの形状に対応するウォブル信号を抽出している。
【０００４】
ウォブル信号には、同期パターンや光ディスクの物理アドレス情報が変調されている。この方式を、「ウォブルアドレスレコーディング方式」と呼んでいる。例えば、ＨＤ  ＤＶＤ−ＲＡＭやＨＤ  ＤＶＤ−Ｒの光ディスクには、同期パターンや物理アドレス情報が２値位相変調方式によって変調されたウォブルが形成されている。
【０００５】
ウォブル信号に含まれる物理アドレス情報を抽出することで、記録データと物理アドレスとの対応付けを確定している。ウォブル信号から、例えばＰＬＬによってウォブル信号に同期したウォブルクロックを抽出し、このウォブルクロックによってウォブル信号に含まれる物理アドレス情報を抽出している。
【０００６】
このように、ウォブル信号は追記型、或いは書き換え型の光ディスクにおいて重要な役割を果たしており、信頼性の高い検出が求められている。
【０００７】
ウォブル信号の検出に関しては、従来から各種の方式が提案されている。例えば、特許文献１には、ウォブル信号に含まれる参照期間の値が「０」に固定されていることを利用して、データの検波振幅値が「０」であるか「１」であるかの判定を行うことで安定な検出ができる、とする技術を開示している。
【特許文献１】特開２００４−３１８９３９号公報
【発明の開示】
【発明が解決しようとする課題】
【０００８】
一般に、ウォブル信号でデータを表現する場合、複数周期のウォブル信号に対して「０」または「１」を割り当てている。略正弦波状をなすウォブル信号の１周期分を「波」の単位で表記すると（「ウォブル（wobble）」の単位で表記する場合もある）、例えば、ＨＤ  ＤＶＤ−ＲＡＭやＨＤ  ＤＶＤ−Ｒのデータ領域では、４波の連続するウォブルで「０」又は「１」を表している。上述したように、ＨＤ  ＤＶＤ−ＲＡＭやＨＤ  ＤＶＤ−Ｒでは、２値位相変調方式を採用しており、「０」と「１」では互いに反転する正と負の正弦波波形（１８０度の位相差をもつ波形）となっている。
【０００９】
また、ウォブル波形の検出は、同期検波方式を採用することが多いが、この場合、正のウォブル波形に対しては、「+」の検波出力が、また、負のウォブル波形に対しては、「-」の検波出力が得られることになる。
【００１０】
従って、例えば「０１０」というデータを正しく検出した場合には、「＋＋＋＋――――＋＋＋＋」という検波出力が得られることになる。
【００１１】
ところで、光ディスクに記録されているウォブル波形の符号は、実は、一義的に定まらない。ウォブル波形の物理的な形状は、「０」の場合には正弦波の位相０度から開始し、「１」は正弦波の位相１８０度から開始されるように、例えばＨＤ  ＤＶＤ−ＲＡＭやＨＤ  ＤＶＤ−Ｒの規格では定められている。
【００１２】
しかしながら、光ディスクの種類によっては、ランドの反射率が高く（Ｈ）、隣接するグルーブの反射率が低く（Ｌ）設定されているものもあれば、逆に、ランドの反射率が低く（Ｌ）、隣接するグルーブの反射率が高く（Ｈ）設定されているものもある。通常、光ディスクからウォブル信号を抽出する場合には、ラジアル方向に２分割されているフォトディテクタの差分を採ることでウォブル信号を抽出している。このため、ランドとこれにラジアル方向に隣接するグルーブとの反射率のＨ／Ｌ関係が逆転すると、生成されるウォブル信号の符号が逆転してしまうことになる。
【００１３】
また、フォトディテクタで行う差分の順序（Ａ−Ｂ又はＢ−Ａ）が異なる場合にもウォブル信号の符号の逆転をおこす。
【００１４】
一方、ウォブル信号の検波は、前述したように、ＰＬＬによる同期検波が多く用いられている。この場合、同期検波に用いられるＳＩＮ基準波は、連続する無変調のウォブル信号入力に対して位相ロックさせることによって生成している。ＨＤ  ＤＶＤ−ＲＡＭやＨＤ  ＤＶＤ−Ｒの規格では、無変調のウォブル信号とデータ「０」のウォブル信号の符号は一致する（いずれも正）ように定められている。
【００１５】
このため、仮に光ディスクの種類やフォトディテクタの構成によってウォブル信号の符号が反転したとしても、データ「０」のウォブル信号の符号と、ＳＩＮ基準波生成の基になる無変調のウォブル信号列の符号とが双方同時に反転するため、データの「０」／「１」検出上は致命的な問題とはならない。
【００１６】
しかしながら、極性が反転したウォブル信号が入力された場合、反転していない場合と比べるとＳＩＮ基準波の位相が半波長ずれてＰＬＬに引き込まれるという現象が発生する。このため、ウォブル信号の位相変化点（「０」と「１」とが切り換わる点）を含むウォブル波（４波のうちの１波）は、「＋」或いは「−」という位相検波値とはならず、その中間値、具体的には「ゼロ値」をとることになる。
【００１７】
この結果、位相変化点を用いて行う処理、例えば、同期パターンの位置検出処理等の精度が低下し、ひいては、この同期パターン位置に基づいて抽出される物理アドレスの検出精度が低下するという問題が生じる。
【００１８】
本発明は、上記事情に鑑みてなされたもので、光ディスクの形態の相違等によって正負が反転したウォブル信号が入力された場合であっても、「０」に対応するウォブル波形と「１」に対応するウォブル波形の境界点を精度良く検出することができ、ひいては、同期パターンや物理アドレスの検出性能を向上させることができる情報記録再生装置、およびその制御方法を提供することを目的とする。
【課題を解決するための手段】
【００１９】
上記課題を解決するため、本発明に係る情報記録再生装置は、請求項１に記載したように、光ディスクから抽出されるウォブル信号を位相検波する位相検波部と、位相検波された前記ウォブル信号の位相変化点を検出する位相変化検出部と、前記位相変化点の時間軸方向の広がりを検出する分散判定部と、検出された前記位相変化点の広がりに基づいて、前記位相検波部に入力されたウォブル信号の極性を判定する極性判定部と、前記極性判定部にて判定された極性に基づいて、前記位相検波部に入力されるウォブル信号の極性を反転させる極性反転部と、を備えたことを特徴とする。
【００２０】
また、上記課題を解決するため、本発明に係る情報記録再生装置は、請求項６に記載したように、光ディスクから抽出されるウォブル信号を位相検波する位相検波部と、前記位相検波部に入力されるウォブル信号の極性を反転させる極性反転部と、位相検波された前記ウォブル信号の位相変化点を検出する位相変化検出部と、前記位相変化点の時間軸方向の広がりを検出する分散判定部と、検出された前記位相変化点の広がりに基づいて、前記位相検波部に入力されたウォブル信号の極性を判定する極性判定部と、を備え、前記極性判定部は、前記極性反転部に対して２つの極性を交替させて設定するように指示し、前記極性反転部で極性を反転させたときと、極性を反転させないときの前記位相変化点の広がりから、前記広がりの少ない方の極性を適正な極性と判定し、前記極性反転部に対して、適正な極性と判定された極性に固定するように前記極性判定部に指示する、ことを特徴とする。
【００２１】
また、上記課題を解決するため、本発明に係る情報記録再生装置の制御方法は、請求項７に記載したように、光ディスクから抽出されるウォブル信号を位相検波する位相検波ステップと、位相検波された前記ウォブル信号の位相変化点を検出する位相変化検出ステップと、前記位相変化点の時間軸方向の広がりを検出する分散判定ステップと、検出された前記位相変化点の広がりに基づいて、前記位相検波部に入力されたウォブル信号の極性を判定する極性判定ステップと、前記極性判定部にて判定された極性に基づいて、前記位相検波部に入力されるウォブル信号の極性を反転させる極性反転ステップと、を備えたことを特徴とする。
【００２２】
また、上記課題を解決するため、本発明に係る情報記録再生装置の制御方法は、請求項１２に記載したように、光ディスクから抽出されるウォブル信号を位相検波する位相検波ステップと、前記位相検波される前のウォブル信号の極性を反転させる極性反転ステップと、位相検波された前記ウォブル信号の位相変化点を検出する位相変化検出ステップと、前記位相変化点の時間軸方向の広がりを検出する分散判定ステップと、検出された前記位相変化点の広がりに基づいて、前記位相検波部に入力されたウォブル信号の極性を判定する極性判定ステップと、を備え、前記極性判定ステップは、前記位相検波される前のウォブル信号の２つの極性を交替させて設定するように指示し、極性を反転させたときと、極性を反転させないときの前記位相変化点の広がりから、前記広がりの少ない方の極性を適正な極性と判定し、その後、前記位相検波される前のウォブル信号を、前記適正な極性と判定された極性に固定する、ことを特徴とする。
【発明の効果】
【００２３】
本発明に係る情報記録再生装置、およびその制御方法によれば、光ディスクの形態の相違等によって正負が反転したウォブル信号が入力された場合であっても、「０」に対応するウォブル波形と「１」に対応するウォブル波形の境界点を精度良く検出することができ、ひいては、同期パターンや物理アドレスの検出性能を向上させることができる。
【発明を実施するための最良の形態】
【００２４】
本発明に係る情報記録再生装置、およびその制御方法の実施形態に付いて、添付図面を参照して説明する。
【００２５】
（１）情報記録再生装置
図１は、本発明の実施形態に係る情報記録再生装置１のシステム構成例を示す図である。
【００２６】
図１に示す光ディスク１０は、例えば、ＨＤ  ＤＶＤ−ＲやＨＤ  ＤＶＤ−ＲＡＭのような、追記型或いは書き換え型の光ディスクである。このタイプの光ディスク１０では、ウォブルと呼ばれる正弦波状のうねりを持ったグルーブ或いはランドが形成されている。
【００２７】
光ディスクにデータを記録・再生する際には、ウォブルの形状に対応した略正弦波状のウォブル信号を光ディスクから抽出し、このウォブル信号に変調されている物理アドレス等のデータを復調し、データ記録・再生時のアドレス確認等に用いている。ＨＤ  ＤＶＤ−ＲやＨＤ  ＤＶＤ−ＲＡＭの場合、ウォブル信号は、物理アドレス等のデータによって２値位相変調が施されている。
【００２８】
情報記録再生装置１は、図１に示したように、光ディスク１０を回転させるディスクモータ１１、光ディスク１０に照射するレーザ光を発生させるレーザダイオード１３、レーザ光を光ディスク１０上に集光させる対物レンズ１２、光ディスク１０からの反射光を光電変換するフォトディテクタ１４、およびフォトディテクタ１４の出力信号を増幅するプリアンプ１５を備えている。
【００２９】
プッシュプル信号生成部１６は、フォトディテクタ１４で検出されるラジアル方向の半面ずつの光量から、その差信号（プッシュプル信号と呼ばれる）を生成する。このプッシュプル信号によって、グルーブのラジアル方向の移動量を検出することができるため、トラッキングサーボ系（図示せず）ではトラッキングエラー信号として用いられる。
【００３０】
また、プッシュプル信号は、グルーブに施されているウォブル波形に対応したウォブル信号ともなる。
【００３１】
フォトディテクタ１４の全分割面の出力を加算した信号は、ＲＦ信号となって再生処理部１７へ入力される。
【００３２】
再生処理部１７では、波形等化処理、再生信号処理、誤り訂正処理、データ変換処理等が行われる。これらの処理後、再生データはインターフェース部１９を介して外部のホスト機器、例えばパーソナルコンピュータへ送られる。
【００３３】
波形等化処理は、入力されるＲＦ信号に対して、記録波長の短い周波数の減衰を補償するために周波数依存振幅特性を与え、記録波長による振幅の違いを緩和する。
【００３４】
再生信号処理は、波形等化された信号から、ビタビ復号等の波形判別手法を用いて元のデジタル変調データを再生し、さらに、ＥＴＭ（Eight  to  Twelve  Modulation）変調を復調する。
【００３５】
誤り訂正処理は、復調データに対して誤り訂正処理を行う。さらに、誤り訂正されたデータは、ホスト機器との間のデータフォーマットに適合したデータ変換処理が行われる。
【００３６】
他方、情報記録再生装置１は、ホスト機器からインターフェース部１９を介して入力される記録データを処理する記録処理部１８を有している。記録処理部１８では、記録信号処理、記録補償処理等が行われる。
【００３７】
記録信号処理は、ホスト機器から入力される記録データを光ディスク１０の物理的記録に適した順序に並び替えるものである。また、記録データに誤り訂正のための符号を付加し、さらにＥＴＭ変調規則に従って変調している。
【００３８】
記録補償処理は、光ディスク１０の物理的特性に合わせて、記録による歪が最も少なくなるようなレーザ強度波形を生成するものである。
【００３９】
一方、プッシュプル信号生成部１６から出力されるウォブル信号は、ウォブル検出部２０に入力される。ウォブル検出部２０では、入力されたウォブル信号に対して、ＰＬＬ等を用いた位相検波を行って、２値位相変調波を復調している。復調された位相検波値は、シンク／アドレス検出部５０へ出力される。
【００４０】
シンク／アドレス検出部５０では、位相検波された信号からシンクデータ（同期データ）を検出し、このシンクデータに基づいて物理アドレス情報等を抽出している。
【００４１】
抽出された物理アドレス情報等は、記録処理部１８や再生処理部１７へ供給され、光ディスク１０への記録アドレスや読み出しアドレスの確定に用いられている。
【００４２】
前述したように、ウォブル検出部２０に入力されるウォブル信号の極性は、光ディスク１０の種類等によって異なってくる可能性がある。本発明のポイントは、異なった極性のウォブル信号が入力された場合であっても、正しくウォブル信号を位相検波し復調する手段、および方法を提供する点にある。この処理はウォブル検出部２０で行われる。
【００４３】
（２）ウォブル検出部
図２は、ウォブル検出部２０の細部構成を示す図である。
【００４４】
ウォブル検出部２０は、極性反転部２１、位相検波部２２、位相変化検出部２３、分散判定部２４、極性判定部２５、ビットクロック生成部２６、およびウォブルＰＬＬ部３０を備えて構成されている。
【００４５】
極性反転部２１は、極性判定部２５から指示される反転／非反転の制御信号に基づいて、ウォブル検出部２０に入力されるウォブル信号の極性を反転させて、或いはそのままの極性（非反転）で位相検波部２２、及びウォブルＰＬＬ部３０に出力する。
【００４６】
位相検波部２２は、極性反転部２１から出力されるウォブル信号を、ウォブルＰＬＬ部３０から出力されるＳＩＮ基準信号を用いて位相検波（位相同期検波）する。ウォブル信号は、「０」又は「１」のデータに対して２値（０度又は１８０度）位相変調を行っており、通常は、位相検波出力として、データ「０」に対応して振幅「＋ａ」が、またデータ「１」に対応して振幅「−ａ」が出力されるようになっている。なお、「ａ」は適宜の振幅値であり、以下、「＋ａ」を単に「＋」、「−ａ」を単に「−」と略す場合がある。
【００４７】
位相変化検出部２３は、位相検波出力の位相変化点を検出する処理を行う。
【００４８】
前述したように、ＨＤ  ＤＶＤ−ＲＡＭやＨＤ  ＤＶＤ−Ｒのデータ領域（物理アドレス等のデータが記録されている領域）では、４波の連続するウォブルで「０」又は「１」を表している。ＨＤ  ＤＶＤ−ＲＡＭやＨＤ  ＤＶＤ−Ｒでは、２値位相変調方式を採用しており、「０」と「１」では互いに反転する正と負の正弦波波形（１８０度の位相差をもつ波形）としている。
【００４９】
従って、例えば「０１０」というデータを正しく検出した場合には、「＋＋＋＋――――＋＋＋＋」という検波出力が得られることになる。
【００５０】
また、これらのデータ領域に先立つシンクパターン（同期パターン）では、連続する複数の「＋」と連続する複数の「−」とで構成されるパターンが定められており、「＋」と「−」との変化点を利用してシンクパターン（同期パターン）の検出を行っている。
【００５１】
この、連続する「＋」や「−」の境界点の検出を位相変化検出部２３で行っている。具体的には、隣接する検波出力の微分（差分）を採ることで境界点検出を行う。上記の例で、「＋」の振幅を「a」、「−」の振幅を「−ａ」とすると、微分（差分）処理後のデータは、「＊、０、０、０、２ａ、０、０、０、-２ａ、０、０、０」となり、「２ａ」又は「−２ａ」の点が「＋」や「−」の境界点を表している。なお、「＊」は、系列「＋＋＋＋――――＋＋＋＋」の前のデータに依存することを示している。
【００５２】
検出された位相変化点（境界点）と位相検波信号は、シンク／アドレス検出部５０に出力される。
【００５３】
分散判定部２４では、位相変化点の時間方向の広がりを判定している。また、極性判定部２５では、位相変化点の時間方向の広がりに基づいて、入力されたウォブル信号の極性が適正な極性か、或いは逆極性（非適正な極性）か否かを判定している。また、判定された極性が逆極性であった場合には、極性反転部２１に対してウォブル信号の極性を反転させるように指示をだす。なお、分散判定部２４、および極性判定部２５のより具体的な動作については、後述する。
【００５４】
ウォブルＰＬＬ部３０は、入力されるウォブル信号に位相同期したウォブルＰＬＬクロックを生成すると共に、位相検波部２２で位相検波を行うためのＳＩＮ基準信号を生成する。
【００５５】
図３は、ウォブルＰＬＬ部３０の細部構成例を示す図である。
【００５６】
ウォブルＰＬＬ部３０は、ＶＣＯ３３を具備するＰＬＬで構成されるもので、基本構成としては、位相検波部（Ｃ）３１、ＶＣＯ３３、および波形生成部３４を備えて構成される。ＶＣＯ３３を発信源とするクロックから、波形生成部３４でＳＩＮ基準信号とＣＯＳ基準信号とを生成する。
【００５７】
このＰＬＬでは、位相検波部（Ｃ）３１の出力である位相誤差εがゼロに近づくようにＣＯＳ基準信号の周波数や位相が引き込まれ、ロックする。即ち、ロックされた状態では、入力されるウォブル信号とＣＯＳ基準信号とは９０度位相がずれた状態となる。このとき、ＳＩＮ基準信号とウォブル信号とは同相の関係となっている。この結果、位相検波部２２では無変調の場合（データ「０」に対応する）には、プラスの最大値を、また、変調時の場合（データ「１」に対応する）には、マイナスの最大値を出力することができる。
【００５８】
また、ロック時には、ウォブル信号の位相とＳＩＮ基準信号（或いはＣＯＳ基準信号）の位相関係は固定されるため、ＳＩＮ基準信号（或いはＣＯＳ基準信号）からウォブル信号の周期に同期したウォブルＰＬＬクロックを生成することもできる。
【００５９】
なお、ブランキング部３２の機能については後述する。
【００６０】
（３）動作
上記のように構成された情報記録再生装置１の動作、特にウォブル信号の位相検波に係る細部動作について説明する。この動作の説明に先立ち、ＨＤ  ＤＶＤ−ＲＡＭ、およびＨＤ  ＤＶＤ−Ｒのデータフォーマットについて概略説明する。
【００６１】
図４は、ＨＤ  ＤＶＤ−ＲＡＭ、およびＨＤ  ＤＶＤ−Ｒに規定されているウォブル変調規則を示す図である。このウォブル変調規則では、図４（ａ）に示す無変調のウォブルをNPW(ビット情報“0”)、図４（ｂ）に示す変調させたウォブルをIPW(ビット情報“1”)とし、これらを組み合わせることでシンクやアドレス変調符号を表している。
【００６２】
なお、NPWからIPWに変化する点、およびIPWからNPWに変化する点（位相変化点）を、以下「位相エッジ」と呼ぶものとする。
【００６３】
図５は、WAP(Wobble Address in Periodic position)という記録長単位毎に1つずつ埋め込まれている物理アドレス情報のデータフォーマットを例示する図である。
【００６４】
図５（ａ）は、ＨＤ  ＤＶＤ−ＲＡＭのＷＡＰ構造を例示する図であり、先頭から、「Segment Infomation」,「Segment address」,「Zone address」,「Parity address」,「Groove Track address」,および「Land Track address」の順で配列されている。ＷＡＰあたりのデータ量は、３９ビットである。
【００６５】
一方、図５（ｂ）は、ＨＤ  ＤＶＤ−ＲのＷＡＰ構造を例示する図であり、先頭から、「Segment Infomation」,「PS Block address」,「Physical segment address」,および「CRC」の順で配列されている。ＷＡＰあたりのデータ量は、３３ビットである。
【００６６】
ＷＡＰに含まれる物理アドレス情報は、WDU(Wobble Data Unit)という17組のユニットに分散される構造となっている。
【００６７】
図６（ａ）は、ＨＤ  ＤＶＤ−ＲＡＭに対応する１７組のＷＤＵのデータ配列を例示する図である。先頭のWDUが同期情報を持つ「Sync field」であり、続いて13組のWDUがアドレス変調符号情報を持つ「Address field」となる。残りの３組のWDUはウォブル無変調区間の「Unity field」である。
【００６８】
一方、図６（ｂ）は、ＨＤ  ＤＶＤ−Ｒに対応する１７組のＷＤＵのデータ配列を例示する図である。先頭のWDUが同期情報を持つ「Sync field」である。続いて１１組のWDUがアドレス変調符号情報を持つ「Address field」となる。残りの５組のWDUはウォブル無変調区間の「Unity field」である。
【００６９】
ＨＤ  ＤＶＤ−ＲＡＭ、およびＨＤ  ＤＶＤ−Ｒのいずれでも、ＷＤＵはウォブル８４波（８４wobble）となっている。ＷＡＰ全体は１４２８波（８４wobble×１７ＷＤＵ＝１４２８wobble）のウォブルから構成されている。
【００７０】
HD DVD-RAMのディスクは、Sync fieldはWAPの同期をとるためWAPの先頭に位置している。図７（ａ）は、Sync fieldの内部構成を示す図であり、WDUの先頭からウォブル6波をIPW、続く4波をNPW、次の6波をIPW、残る68波をNPWとしシンクパターンを構成している。シンクの周期はWAPの周期、つまり1428波であり4の整数倍である。なお、このデータフォーマットを、Sync field Primary WDUと呼んでいる。
【００７１】
図７（ｂ）は、Sync field Secondary  WDUと呼ばれるデータ構造である。ＨＤ  ＤＶＤ−Ｒでのみ用いられるデータ構造であり、ＨＤ  ＤＶＤ−ＲＡＭでは用いられない。
【００７２】
HD DVD-Rのディスクは、トラック間ピッチが狭いため、隣接トラックのウォブルがクロストークとしてビートを生じさせ、正確なアドレス検出に影響を与える。そのため、シンクおよびアドレス変調符号位置のビート対策として隣接トラック間の変調箇所が重ならないようにする必要がある。この具体的な方法として、シンクパターン先頭およびアドレス変調符号の位置をずらしたPrimary WDUとSecondary WDUを用意し、これらを組み合わせることで隣接トラック間のウォブル変調位置が重ならないようディスク上にウォブル変調箇所を配置している。
【００７３】
Primary WDUでは、シンクおよびアドレス変調符号の記録位置がWDUの先頭に配置されている。一方、Secondary WDUはシンクおよびアドレス変調符号の記録位置がWDUの先頭から42ウォブル後に配置されている。
【００７４】
このように、ＨＤ  ＤＶＤ−Ｒでは、Primary WDU とSecondary WDUとの２種のＷＤＵを、Sync  fieldとAdress  fieldの双方で備え、Primary WDU とSecondary WDUとを適宜切り替えることで、隣接トラック間の変調符号の干渉（ビート）を排除している。なお、ＨＤ  ＤＶＤ−ＲＡＭは、Primary WDU （Sync  fieldとAdress  field）のみを備える形態である。
【００７５】
図７（ｃ）は、Address field の内部構成を示す図であり。Address fieldは先頭4波を先頭識別用にIPWとし、その後はウォブル4波を1組とした同じ符号パターンで物理アドレス1ビットを表し、これが3ビット分(bit2, bit1, bit0)と連続する。このデータフォーマットを、Address field Primary WDUと呼んでいる。
【００７６】
図７（ｄ）は、Secondary  ＷＤＵのAddress field の内部構成を示す図であり、上述したように、ＨＤ  ＤＶＤ−Ｒのみが備えているデータフォーマットである。Secondary WDUのAddress fieldは、先頭42波をNPWとした後、アドレス変調符号の先頭識別用にウォブル4波分をIPW、続くウォブル12波で3ビット分の物理アドレスを構成し、残り26波をNPWとしている。
【００７７】
図７（ｅ）は、Unity  Field  ＷＤＵのデータ構造を示しており、無変調を示すＮＰＷが８４波連続することになる。
【００７８】
（４）位相変化点検出
図２に示したように、本実施形態に係る情報記録再生装置１のウォブル検出部２０では、位相検波部２２で位相検波した後、位相変化検出部２３にて、位相変化点を検出している。
【００７９】
位相変化が、実際のＨＤ  ＤＶＤ−ＲＡＭやＨＤ  ＤＶＤ−Ｒでどのように発生するかを、図７を参照して説明する。
【００８０】
まず、ＨＤ  ＤＶＤ−ＲＡＭについて説明する。ＨＤ  ＤＶＤ−ＲＡＭは、上述したように、Primary  fieldのみから構成されている。具体的には、図７（ａ）のシンクフィールドＷＤＵが１つと、これに続く１３個ののアドレスフィールドＷＤＵ（図７（ｃ））、および３個のユニティフィールドＷＤＵ（図７（ｅ））が３個続く（図６（ａ）のＷＡＰ構造参照）。
【００８１】
1つのアドレスフィールドＷＤＵ（図７（ｃ））に着目すると、アドレスフィールドＷＤＵには、少なくとも2箇所、多くて4箇所の位相変化点（位相エッジ）が「４の整数倍ウォブル周期」で発生する。さらにＷＡＰ単位でみると、アドレスフィールドＷＤＵ１３組の全体では、位相変化点（位相エッジ）の総数は２６箇所（２箇所×１３）〜５２箇所（４箇所×１３）となる。
【００８２】
他方、シンクフィールドＷＤＵの長さ、およびユニティフィールドＷＤＵの長さもは８４ウォブル（４×２１）であり、ウォブル周期の単位でみると、いずれも４の整数倍である。したがって、ＷＡＰが連続する場合であっても、アドレスフィールドの位相変化点（位相エッジ）は、必ず「４の整数倍ウォブル周期」で発生する。
【００８３】
なお、シンクフィールドには、図７（ａ）に示したように、位相変化点（位相エッジ）が「６ウォブル周期」で発生するが、シンクフィールド自体はWAPあたり１個しか存在しない。
【００８４】
従って、ＨＤ  ＤＶＤ−ＲＡＭにおいては、位相変化点（位相エッジ）の発生頻度は、「４の整数倍ウォブル周期」で発生する頻度が圧倒的に多い、という特徴を有している。
【００８５】
同様の観点からＨＤ  ＤＶＤ−Ｒのデータフォーマットを観察してみる。前述したように、ＨＤ  ＤＶＤ−Ｒにおいては、プライマリのデータフィールド（図７（ｃ））とセカンダリのデータフィールド（図７（ｄ））が、存在する。
【００８６】
セカンダリのデータフィールドには、先頭に４２ウォブル周期のＮＰＷが設けられている。４２は４の整数倍ではないため、このＷＤＵがＷＡＰ単位で連続する場合、位相変化点（位相エッジ）は「４の整数倍ウォブル周期」とならない。
【００８７】
しかしながら、少なくとも、データフィールドにおける位相変化点（位相エッジ）は「２の整数倍ウォブル周期」となることは保証されている。また、シンクフィールドの位相変化点も「２の整数倍ウォブル周期」となっていることから、ＨＤ  ＤＶＤ-Ｒでは、位相変化点（位相エッジ）は総て「２の整数倍ウォブル周期」となることが保証されている。
【００８８】
以上の説明をまとめると、正しく動作しているとき（正しい極性のウォブル信号が入力されたとき）のウォブル信号の位相変化は、ＨＤ  ＤＶＤ−ＲＡＭでは、「４の整数倍ウォブル周期」で発生する頻度が非常に高く、ＨＤ  ＤＶＤ−Ｒでは、「２の整数倍ウォブル周期」で必ず発生する、という特徴を有している。
【００８９】
なお、位相変化が「２の整数倍ウォブル周期」で必ず発生する、という特徴は、ＨＤ  ＤＶＤ−ＲＡＭにも当てはまる特徴である。
【００９０】
上述した位相変化点の周期に関する特徴を踏まえて、本実施形態に係るウォブル検出部２０の動作を、適正な極性のウォブル信号が入力された場合と、非適正な極性（逆極性）のウォブル信号が入力された場合について、以下に説明する。以下の説明では、主にＨＤ  ＤＶＤ−ＲＡＭを例として説明するが、基本的な考え方は、ＨＤ  ＤＶＤ−Ｒの場合も同様である。
【００９１】
図８は、適正な極性のウォブル信号が入力された場合のウォブル検出部２０の動作を説明する図である。
【００９２】
図８（ａ）は、ウォブル検出部２０に入力される適正な極性のウォブル信号波形を示している。図８（ａ）の先頭部分のウォブル波形は、図４（ａ）に示したＮＰＷ（データ「０」を示す）に対応する波形である。このＮＰＷの列に続いて、４ウォブルのＩＰＷ（データ「１」を示す）が続き、さらにＮＰＷが続く状態を例示している。
【００９３】
図８（ｂ）は、ウォブル検出部２０の位相検波部２２に入力されるＳＩＮ基準信号の波形を示している。
【００９４】
図３に示したように、ＳＩＮ基準信号は、ウォブルＰＬＬ部３０にて生成される信号である。ウォブル信号の全体では、図６或いは図７からわかるように、ＮＰＷ（「０」）の比率がＩＰＷ（「１」）に比べると圧倒的に高い。例えば、全体の８０％以上はＮＰＷ（「０」）で閉められている。
【００９５】
このため、ウォブルＰＬＬ部３０の位相ロックループは、ＮＰＷ（「０」）に対応するウォブル信号の波形に対して位相ロックするように働く。この結果、図８（ｂ）に示したＳＩＮ基準信号は、ＮＰＷ（「０」）に対応するウォブル波形と同一波形（同一位相、同一周波数）となる。
【００９６】
なお、全体の８０％以上はＮＰＷ（「０」）で閉められるものの、ウォブル信号にはＩＰＷ（「１」）が一部存在する。入力されたウォブル信号が、ＮＰＷ（「０」）であるのか或いはＩＰＷ（「１」）であるのかは、位相検波部２２で検出可能である。そこで、図３のブランキング部３２では、検出されたＩＰＷ（「１」）の領域に対して、ブランキング（値をゼロに設定する）をかけ、位相ロックループに与えるＩＰＷ（「１」）の影響を可能な限り低減するようにしている。
【００９７】
なお、ブランキング処理のほか、ＮＰＷ（「０」）によって得られた前の値をホールドしておき、ＩＰＷ（「１」）が検出されたときには、このホールド値を用いて位相ロックループを制御するようにしてもよい。
【００９８】
また、ＩＰＷ（「１」）が検出されたときには、その位相誤差の値の極性を反転させてＶＣＯ３３を駆動するように構成してもよい。
【００９９】
図８（ｃ）は、位相検波部２２の出力を例示したものである。ＮＰＷ（「０」）に対応する領域では、「＋１」が検出され、ＩＰＷ（「１」）に対応する領域では、「−１」が検出される。
【０１００】
図９（ａ）はＮＰＷ（「０」）の入力に対する位相検波出力が正の値となることを模式的に示した図である。同様に、図９（ｂ）は、ＩＰＷ（「１」）の入力に対する位相検波出力が負の値となることを模式的に示した図である。
【０１０１】
位相変化検出部２３では、位相変化点（位相エッジ）を検出する。具体的には、例えば隣接する位相検波出力を、ウォブル波形単位で微分（或いは差分）する。
【０１０２】
この結果、図８（ｄ）に例示したように、位相が連続している領域では、ゼロが、また位相が変化している点では、例えば「２」（「（＋１）−（−１）」）の有限値が得られる。有限値が得られる点が位相変化点を示している。
【０１０３】
図８（ｅ）では、「ａ」と記載した位置で位相変化が発生することを示している。前述したように、ＤＶＤ−ＲＡＭでは、「４の整数倍ウォブル周期」で位相変化が発生する頻度が非常に高い。即ち、ウォブル信号の周期をＴ（第１の周期）としたときに、位相変化は４Ｔ（第２の周期）で発生する頻度が非常に高い。
【０１０４】
このため、ＨＤ  ＤＶＤ−ＲＡＭにおいて、正しい極性のウォブル信号が入力された場合、「ａ」、「ｂ」、「ｃ」、「ｄ」の４つの分割区分に対して、位相変化点の位置の度数分布をとった場合、「ａ」の位置に度数が集中する、という特徴を示す。
【０１０５】
なお、ＨＤ  ＤＶＤ−Ｒの場合は、「ａ」、「ｂ」の２つの分割区分に対して、位相変化点の位置の度数分布をとった場合、「ａ」の位置に度数が集中する、という特徴を示すことになる。
【０１０６】
図１０は、逆極性のウォブル信号が入力されたときのウォブル検出部２０の動作を説明する図である。
【０１０７】
図１０（ｂ）が逆極性のウォブル信号の波形を示すものである。前述したように、ウォブルＰＬＬ部３０で生成されるＳＩＮ基準信号は、入力されるウォブル信号の波形に一致するようにウォブルＰＬＬで引き込まれる。即ち、図１０（ｃ）と図１０（ｄ）に示したように、入力された（逆極性で入力された）ウォブル信号と、ＳＩＮ基準信号との位相関係が一致するようにＳＩＮ基準信号は生成される。
【０１０８】
この関係を、ＳＩＮ基準信号を基準として考えると、入力された逆極性のウォブル波形は、「半波長シフト」したことなる。即ち、図１０（ａ）に示した正しい極性の位相変化点と、図１０（ｃ）に示した逆極性の位相変化点は、「半波長シフト」することになる。
【０１０９】
この結果、位相検波部２２の出力（図１０（ｅ））は、「半波長シフト」した領域（図１０（ｇ）の「ｄ」に相当する領域）において、「＋１」或いは「−１」とならず、ゼロとなる（図９（ｃ）、図９（ｄ）参照）。
【０１１０】
このため、位相変化検出部２３の出力（図１０（ｆ））では、位相変化点が領域領域「ａ」と領域領域「ｄ」の双方に広がることになる。
【０１１１】
この結果、ＨＤ  ＤＶＤ−ＲＡＭにおいて、逆極性のウォブル信号が入力された場合、「ａ」、「ｂ」、「ｃ」、「ｄ」の４つの分割区分に対して、位相変化点の位置の度数分布をとった場合、「ａ」の位置に度数が集中するのではなく、領域領域「ａ」と領域領域「ｄ」とに広がった度数分布になる、という特徴を示すことになる。
【０１１２】
なお、ＨＤ  ＤＶＤ−Ｒにおいて逆極性のウォブル信号が入力された場合には、「ａ」、「ｂ」の２つの分割区分に対して、位相変化点の位置の度数分布をとったとき、「ａ」の位置と「ｂ」の位置とに広がった度数分布になる、という特徴を示す。
【０１１３】
以上、説明してきたように、正しい極性のウォブル信号と、逆極性のウォブル信号が入力された場合、位相変化点の度数分布は、両者で明らかに異なる特徴を示す。
【０１１４】
この特徴を利用して、逆極性のウォブル信号が入力された場合には、極性判定部25でその旨を検出し、極性反転部２１に対して極性の反転を指示するようにしている。
【０１１５】
分散判定部２４では、位相変化検出部２３から出力されてくる位相変化検出結果に基づいて、例えば度数分布をとって、時間軸方向の広がりを判定している。
【０１１６】
図１１は、正しい極性のウォブル信号が入力されたときの位相変化点の度数分布と、逆極性のウォブル信号が入力されたときの位相変化点の度数分布とを概念的に示す図である。図１１では、「ａ」、「ｂ」、「ｃ」、「ｄ」の４つの分割区分に対して、位相変化点の位置の度数分布をとったときの一例を示している。図１１（ａ）は、正しい極性のウォブル信号が入力されたときの度数分布を示しており、図８（ｄ）に示したように、位相変化点は、「ａ」の位置に集中して出現する。
【０１１７】
一方、図１１（ｂ）は、逆極性のウォブル信号が入力されたときの度数分布を示しており、図１０（ｆ）に示したように、位相変化点は、「ａ」および「ｄ」の２つ位置に分散されて出現する。
【０１１８】
なお、ＨＤ  ＤＶＤ−Ｒの場合には、「ａ」、「ｂ」の２つの区分に対して度数分布を求めることになる。
【０１１９】
極性判定部２５では、分散判定部２４で求められた度数分布に基づいて、ウォブル信号の極性判定を行う。判定の基本的な考え方は、位相変化点が１箇所（区分「ａ」）に集中している場合には正しい極性のウォブル信号が入力されたと判定し、位相変化点が２箇所に分散している場合には逆極性のウォブル信号が入力されたと判定する。
【０１２０】
この判定方法には種々の方法が考えられるが、例えば、最も度数の大きな区分の度数（度数の絶対値）、或いは最も度数の大きな区分の度数の総度数に対する比率（度数の比率）が、所定の閾値を超えたか否かで判定する方法でもよい。
【０１２１】
また、最も度数の大きな区分の度数と２番目に度数が大きな区分の度数との差（度数の絶対値の差）、或いは最も度数の大きな区分の度数の総度数に対する比率と２番目に度数が大きな区分の度数の総度数に対する比率との差（度数の比率の差）が、所定の閾値を超えたか否かで判定する方法でもよい。
【０１２２】
また、４区分の場合（ＨＤ  ＤＶＤ−ＲＡＭの場合）に適用できる方法として、最も度数の大きな区分の度数（或いは総度数に対する比率）と、この区分に隣接する両隣の区分の度数（或いは総度数に対する比率）との比率が、所定の閾値を超えたか否かで判定する方法でも良い。
【０１２３】
上記のいずれの場合にも、閾値を、例えば外部から変更することができるように構成する形態としてもよい。
【０１２４】
極性判定部２５の判定結果として、「逆極性」であると判定された場合には、極性判定部２５から極性反転部２１に対して、ウォブル検出部２０へ入力されるウォブル信号の極性を反転させるように指示する。
【０１２５】
他方、極性判定部２５の判定結果が、「正しい極性」であると判定された場合には、極性判定部２５から極性反転部２１に対して何も指示を出さず、現在の状態を維持するようにする。
【０１２６】
以上の処理によって、ウォブル検出部２０に入力されるウォブル信号の極性の如何に関わらず、位相検波部２２以降の処理は、常に「正しい極性」のウォブル信号に対して行われることになる。
【０１２７】
分散判定部２４で度数分布を求める際には、必ずしも全動作期間を度数分布の集計対象とする必要はない。ウォブル信号の極性は、光ディスク１０の種類やプッシュプル信号生成部１６の構成で決まるものであり、これらが変更されない限り、動作期間の途中でウォブル信号の極性が反転することはないからである。
【０１２８】
従って、例えば、動作中、適宜の周期で所定期間の度数分布を求め、この度数分布からウォブル信号の極性を判定する形態でもよい。或いは、動作開始直後のみ、所定期間の度数分布を求め、この度数分布からウォブル信号の極性を判定する形態でもよい。
【０１２９】
この他、度数分布を求める際のデータ取得の開始時期と終了時期を、変更可能に設定する形態でも良い。
【０１３０】
また、集計元のデータ（位相変化の有無を示すデータ）に時間的な重み付けをして度数分布を求める形態でも良い。例えば、現時点から過去Ｎデータまでの間は「１」の重みとし、過去Ｎ＋１よりも古いデータは、「０」の重み付けをする形態でもよい。或いは、現時点から過去に向けて、重み係数を１から徐々に低下させる形態としてもよい。
【０１３１】
上述したウォブル信号の極性判定方法は、極性が不明の状態でまず１つの度数分布（図１１（ａ）又は図１１（ｂ））を求め、その１つの度数分布から入力されたウォブル信号の極性を判定する方法である。
【０１３２】
この他、極性判定部２５から極性反転部２１に対して、極性判定前に積極的に極性反転の指示を出す形態としてもよい。
【０１３３】
即ち、極性反転の指示を出す前に得られる度数分布と、極性反転の指示を出した後に得られる度数分布の２つの度数分布から、正しい極性を判定する方法である。この判定方法では、上述した閾値による判定方法に代えて、２つの度数分布を比較する方法が可能となる。例えば、２つの度数分布から、最も度数の大きな区分を夫々抽出し、両者の度数（或いは総度数に対する比率）の大小を判定すればよい。「大」に対応する度数分布が「正しい極性」の分布であり、「小」に対応する度数分布が「逆極性」の分布である。
【０１３４】
極性判定部２５では、極性判定時の状態が逆極性の場合には極性反転部２１に対して正しい極性になるように指示する。また、極性判定時の状態が正しい極性の場合には、その状態を維持する。
【０１３５】
さらに、ウォブル検出部２０の構成の内、極性判定部２５以外の構成を２系統並列に設ける形態としても良い。即ち、第１の極性反転部２１ａ、第１の位相検波部２２ａ、第１の位相変化検出部２３ａ、第１の分散判定部２４ａ、第１のウォブルＰＬＬ部３０ａ、および第１のビットクロック生成部２６ａとから構成される第１の系統と、第２の極性反転部２１ｂ、第２の位相検波部２２ｂ、第２の位相変化検出部２３ｂ、第２の分散判定部２４ｂ、第２のウォブルＰＬＬ部３０ｂ、および第２のビットクロック生成部２６ｂとから構成される第２の系統とを並列に設ける形態である。
【０１３６】
このような構成において、第１の極性反転部２１ａに指示する極性と、第２の極性反転部２１ｂに指示する極性とを逆極性としておく。極性判定部２５では、第１の分散判定部２４ａおよび第２の分散判定部２４ｂの夫々から同時に得られる２つの度数分布から、最も度数の大きな区分を夫々抽出し、両者の度数（或いは総度数に対する比率）の大小を判定すればよい。「大」に対応する度数分布が「正しい極性」の分布であり、「小」に対応する度数分布が「逆極性」の分布である。
【０１３７】
極性判定部２５では、「正しい極性」の分布を出力している系統を選択し、選択した系統から得られる信号をシンク／アドレス検出部５０へ出力すればよい。
【０１３８】
以上説明したように、本実施形態に係る情報記録再生装置、およびその制御方法によれば、光ディスクの形態の相違等によって正負が反転したウォブル信号が入力された場合であっても、ウォブル信号の極性を判定し、その判定結果に基づいてウォブル信号の極性が正しい極性となるように補正することができる。この結果、「０」に対応するウォブル波形と「１」に対応するウォブル波形の境界点を精度良く検出することができ、ひいては、同期パターン物理アドレスの検出性能を向上させることができる。
【０１３９】
なお、本発明は上記の各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１４０】
【図１】本発明に係る情報記録再生装置の一実施形態におけるシステム構成例を示す図。
【図２】本実施形態に係るウォブル検出部の細部構成例を示す図。
【図３】本実施形態に係るウォブルＰＬＬ部の細部構成例を示す図。
【図４】光ディスクに記録されているウォブル形状の極性を説明する図。
【図５】ウォブル信号によって表される物理アドレスのデータ構造例を示す図。
【図６】ウォブル信号によって表されるデータ単位（ＷＡＰ）のデータ構造例を示す図。
【図７】ＷＡＰの分割単位であるＷＤＵのデータ構造例を示す図。
【図８】正しい極性のウォブル信号が入力されたときの動作を説明する図。
【図９】正しい極性、および逆極性のウォブル信号に対する位相検波出力の説明図。
【図１０】逆極性のウォブル信号が入力されたときの動作を説明する図。
【図１１】正しい極性、および逆極性のウォブル信号に対する位相変化点の度数分布の概念説明図。
【符号の説明】
【０１４１】
１  情報記録再生装置
１０  光ディスク
１６  プッシュプル信号生成部
１７  再生処理部
１８  記録処理部
２０  ウォブル検出部
２１  極性反転部
２２  位相検波部
２３  位相変化検出部
２４  分散判定部
２５  極性判定部
２６  ビットクロック生成部
３０  ウォブルＰＬＬ部
３１  位相検波部（Ｃ）
３２  ブランキング部
３３  ＶＣＯ
３４  波形生成部
５０  シンク／アドレス検出部
【図１】
2007207313.tif 000003
【図２】
2007207313.tif 000004
【図３】
2007207313.tif 000005
【図４】
2007207313.tif 000006
【図５】
2007207313.tif 000007
【図６】
2007207313.tif 000008
【図７】
2007207313.tif 000009
【図８】
2007207313.tif 000010
【図９】
2007207313.tif 000011
【図１０】
2007207313.tif 000012
【図１１】
2007207313.tif 000013